(57)【要約】      （修正有）【課題】ＲＦタグに記録されている記録情報が読み落しなく正確に読み取られたか否かを判定する手段を備えることにより、一括して読み取ったＲＦタグに記録された記録情報が全て正常に読み取られたか否かを判断することができるリーダライタ及びリーダを提供する。【解決手段】複数の封筒（物品）３５にそれぞれ取り付けられたＲＦタグ２００に記録された記録情報を一括して読み書きするリーダライタ（Ｒ／Ｗ）１００と、このリーダライタ１００を制御するＰＣ（制御手段）５０と、を備えて構成される。尚、ＰＣ５０は複数のそれぞれの封筒３５に取り付けられた各ＲＦタグ２００間を関連付ける関連付け情報を各ＲＦタグ２００に記録する関連付け情報記録手段５０ａと、リーダライタ１００により一括して読み取られた関連付け情報が互いにリンクしているか否かを判定するリンク判定手段５０ｂとを備えている。【選択図】図４
2006185391.tif 000002
【特許請求の範囲】
【請求項１】
複数の物品にそれぞれ取り付けられたＲＦタグに記録された記録情報を一括して読み書きするリーダライタと、システム全体を制御する制御手段と、を備えたリーダライタシステムにおいて、
前記制御手段は、前記複数の物品それぞれに取り付けられた各ＲＦタグ間を関連付ける情報を前記各ＲＦタグに記録する関連付け情報記録手段と、前記リーダライタにより一括して読み取られた前記関連付け情報が互いにリンクしているか否かを判定するリンク判定手段と、を備え、
前記リンク判定手段により前記関連付け情報がリンクしていると判定された場合、前記リーダライタにより一括して読み取った記録情報には読み落としがないと判断することを特徴とするリーダライタシステム。
【請求項２】
前記関連付け情報は、一括して読み取る物品単位で記録され、且つ他の何れかのＲＦタグの関連付け情報とも重複しないことを特徴とする請求項１に記載のリーダライタシステム。
【請求項３】
前記リンク判定手段は、前記複数の物品に取り付けられた各ＲＦタグのＩＤ情報と前記関連付け情報記録手段により記録された関連付け情報を前記リーダライタにより一括して読み取ってメモリに記憶し、該メモリに記憶された関連付け情報と各ＲＦタグのＩＤ情報が全部揃っている場合、前記関連付け情報がリンクしていると判定することを特徴とする請求項１または２に記載のリーダライタシステム。
【請求項４】
複数の物品にそれぞれ取り付けられたＲＦタグに記録された記録情報を一括して読み書きするリーダライタと、システム全体を制御する制御手段と、を備えたリーダライタシステムにおいて、
前記制御手段は、前記複数の物品に取り付けられた各ＲＦタグにシーケンス番号を記録するシーケンス番号記録手段と、前記複数の物品に取り付けられた各ＲＦタグに記録されたシーケンス番号に欠番が存在するか否かを判定する欠番判定手段と、を備え、
前記欠番判定手段により前記シーケンス番号に欠番が存在しないと判定された場合、前記リーダライタにより一括して読み取った記録情報には読み落としがないと判断することを特徴とするリーダライタシステム。
【請求項５】
複数の物品にそれぞれ取り付けられたＲＦタグに記録された記録情報を一括して読み書きするリーダライタと、システム全体を制御する制御手段と、を備えたリーダライタシステムにおいて、
前記制御手段は、前記物品の重量を計量する計量手段と、該計量手段により計量された個々の物品の重量情報を当該個々の物品に取り付けられたＲＦタグに記録する重量記録手段と、該重量情報が記録されたＲＦタグを取り付けた複数の物品の記録情報を一括して読み取る際に、該複数の物品の全重量を計量して前記ＲＦタグに記録された個々の重量情報の合計値と比較する重量比較手段と、を備え、
前記重量比較手段により前記複数の物品の全重量と前記ＲＦタグに記録された個々の重量情報の合計値とを比較した結果が一致した場合、前記リーダライタにより一括して読み取った記録情報には読み落としがないと判断することを特徴とするリーダライタシステム。
【請求項６】
複数の物品にそれぞれ取り付けられたＲＦタグに記録された記録情報を一括して読み書きするリーダライタと、システム全体を制御する制御手段と、を備えたリーダライタシステムにおいて、
前記制御手段は、前記複数の物品の合計個数情報を少なくとも１つ以上の代表ＲＦタグに記録する個数記録手段と、前記複数の物品を一括して読み取った際の合計個数と前記代表ＲＦタグに記録されている合計個数情報とを比較する個数比較手段と、を備え、
前記個数比較手段により前記複数の物品を一括して読み取った際の合計個数と前記代表ＲＦタグに記録されている合計個数情報とを比較した結果が一致した場合、前記リーダライタにより一括して読み取った記録情報には読み落としがないと判断することを特徴とするリーダライタシステム。
【請求項７】
個数が確定している複数の物品にそれぞれ取り付けられたＲＦタグに記録された記録情報を一括して読み書きするリーダライタと、システム全体を制御する制御手段と、を備えたリーダライタシステムにおいて、
前記制御手段は、前記個数が確定している複数の物品に付されたＲＦタグを一括して読み取ることにより得た合計個数情報と予め計数した確定個数とを比較する個数比較手段を備え、
前記個数比較手段により前記個数が確定している物品に付されたＲＦタグを一括して読み取った際の合計個数と前記確定個数とを比較した結果が一致した場合、前記リーダライタにより一括して読み取った記録情報には読み落としがないと判断することを特徴とするリーダライタシステム。
【請求項８】
複数の物品にそれぞれ取り付けられたＲＦタグに記録された記録情報を一括して読み取るリーダと、システム全体を制御する制御手段と、を備えたリーダシステムにおいて、
前記制御手段は、前記複数の物品それぞれに取り付けられた各ＲＦタグ間を関連付ける関連付け情報を予め記録した各ＲＦタグを前記リーダにより一括して読み取った際に、前記関連付け情報が互いにリンクしているか否かを判定するリンク判定手段を備え、
前記リンク判定手段により全てのＲＦタグに記録された前記関連付け情報がリンクしていると判定された場合、前記リーダにより一括して読み取った記録情報には読み落としがないと判断することを特徴とするリーダシステム。
【請求項９】
前記関連付け情報は、一括して読み取る物品単位で記録され、且つ他の何れかのＲＦタグの関連付け情報とも重複しないことを特徴とする請求項８に記載のリーダシステム。
【請求項１０】
前記リンク判定手段は、前記複数の物品に取り付けられた各ＲＦタグのＩＤ情報と前記関連付け情報を前記リーダにより一括して読み取ってメモリに記憶し、該メモリに記憶された関連付け情報と各ＲＦタグのＩＤ情報が全部揃っている場合、前記関連付け情報がリンクしていると判定することを特徴とする請求項８または９に記載のリーダシステム。
【請求項１１】
複数の物品にそれぞれ取り付けられたＲＦタグに記録された記録情報を一括して読み取るリーダと、システム全体を制御する制御手段と、を備えたリーダシステムにおいて、
前記制御手段は、前記複数の物品に取り付けられた各ＲＦタグに記録されたシーケンス番号に欠番が存在するか否かを判定する欠番判定手段を備え、
前記欠番判定手段により前記シーケンス番号に欠番が存在しないと判定された場合、前記リーダにより一括して読み取った記録情報には読み落としがないと判断することを特徴とするリーダシステム。
【請求項１２】
複数の物品にそれぞれ取り付けられたＲＦタグに記録された記録情報を一括して読み取るリーダと、システム全体を制御する制御手段と、を備えたリーダシステムにおいて、
前記制御手段は、前記物品の重量を計量する計量手段と、該計量手段により計量された個々の物品の重量情報が記録されたＲＦタグを取り付けた複数の物品の記録情報を一括して読み取る際に、該複数の物品の全重量を計量して前記ＲＦタグに記録された個々の重量情報の合計値と比較する重量比較手段と、を備え、
前記重量比較手段により前記複数の物品の全重量と前記ＲＦタグに記録された個々の重量情報の合計値とを比較した結果が一致した場合、前記リーダにより一括して読み取った記録情報には読み落としがないと判断することを特徴とするリーダシステム。
【請求項１３】
複数の物品にそれぞれ取り付けられたＲＦタグに記録された記録情報を一括して読み取るリーダと、システム全体を制御する制御手段と、を備えたリーダシステムにおいて、
前記制御手段は、前記複数の物品の合計個数情報を記録した代表ＲＦタグと、前記複数の物品を一括して読み取った際の合計個数と前記代表ＲＦタグに記録されている合計個数情報とを比較する個数比較手段と、を備え、
前記個数比較手段により前記複数の物品を一括して読み取った際の合計個数と前記代表ＲＦタグに記録されている合計個数情報とを比較した結果が一致した場合、前記リーダにより一括して読み取った記録情報には読み落としがないと判断することを特徴とするリーダシステム。
【請求項１４】
個数が確定している物品にそれぞれ取り付けられたＲＦタグに記録された記録情報を一括して読み取るリーダと、システム全体を制御する制御手段と、を備えたリーダシステムにおいて、
前記制御手段は、前記個数が確定している複数の物品に付されたＲＦタグを一括して読み取ることにより得た合計個数情報と予め計数した確定個数とを比較する個数比較手段を備え、
前記個数比較手段により前記個数が確定している物品に付されたＲＦタグを一括して読み取った際の合計個数と前記確定個数とを比較した結果が一致した場合、前記リーダにより一括して読み取った記録情報には読み落としがないと判断することを特徴とするリーダシステム。
【発明の詳細な説明】
【技術分野】
【０００１】
本発明は、複数の物品にそれぞれ取り付けられたＲＦタグに記録された記録情報を一括して読み書きするリーダライタ及びリーダに関し、さらに詳しくは、複数の物品に取り付けられたＲＦタグの記録情報に読み落しがあるか否かを判断可能としたリーダライタ及びリーダに関するものである。
【背景技術】
【０００２】
近年、ＩＣカードと呼ばれる情報記録媒体が、市場に広く出回っている。ＩＣカードは、クレジットカード、銀行カード、ポイントカード等のカード状あるいはシート状の形状を備え、カード内にＩＣ（Integrated Circuit）が組み込まれているものを総称した名称である。最近では、ＩＣカードと同様の原理で情報を記録するＲＦタグが、各種物品に付されて物品の種別や内容の判別、分類整理、在庫管理等の多様な分野において効率化に貢献している。このように一括した取扱いを受ける複数の物品に付されるＩＣカードやＲＦタグにあっては、リーダライタとの間でのデータの授受を一括して電波にて行うため、定期券等のように１枚単位で処理されるＩＣカードでは特に発生しない特有の問題を有している。
例えば、ＲＦタグを付した複数の封筒をＲＦタグの記録情報に基づいて仕分けする際、作業効率を高めるために大量の封筒に付された各ＲＦタグの記録情報を一括で読み取ることが行われている。このとき一括で読み取る封筒の数量を予めカウントしておかないで読取りを行う方が作業効率が良いが、この作業方法を採る場合には、リーダライタにより読み取られたＲＦタグの記録情報が全て正しく読み取られたか否かは判然としなかった。即ち、一括で読み取った記録情報の中に読み落し等が存在したか否かを見分けることは困難であった。このため、予め数量をカウントした上で、読み取りを行う必要があるが、作業性を低下させる要因となっていた。
尚、梱包容器内の物品管理を行う物品管理システムについて、同一出願人より特許文献１が出願されている。また複数のＩＣカードに対して一括して読み書き処理を行う際に、一度に扱うおよその枚数を推定する装置について同一出願人より特許文献２が出願されている。
また他の従来技術として特許文献３には、物品の両端から押圧力を加えた後、抵抗値の異なる２種類の電極パターンの合計抵抗値に基づいて抵抗値の差をとり、その値を一方の抵抗値で割ることにより物品数を算出する技術について開示されている。また特許文献４には、電磁波の反射波または透過波による出力電圧値の時間的変化である出力波形を計算して、封筒に在中するカード枚数を判別する技術について開示されている。
【特許文献１】特開２００２−１４５４１９公報
【特許文献２】特開２００１−３１９１９０公報
【特許文献３】特開２００２−１９７４３８公報
【特許文献４】特開平０６−２４１７６３号公報
【発明の開示】
【発明が解決しようとする課題】
【０００３】
しかしながら、従来の一括読み書きの場合は、記録情報の中に読み落し等が存在したか否かを見分けることは困難であったため、物品の管理を正確に行うことができないと言った問題があった。
また特許文献１の発明は、梱包容器に梱包する物品の個別情報を全て記録した一括情報タグを梱包容器に取り付け、その一括情報タグの情報と個別情報を比較することにより容器を開封せずに容器内容物の管理を行うものである。しかし、特許文献１の発明は個別情報タグと一括情報タグを必要とし、タグの枚数が多くなるばかりでなく、それらのタグに情報を書き込むための作業がわずらわしいといった問題がある。
また特許文献２の発明は、電力アンプの負荷を検出して、その負荷からＩＣカードの枚数を推定するものであるため、枚数はあくまでも推定値となり正確な枚数を検出することはできない。
また特許文献３の発明は、物品に圧力をかける必要があるため、物品の強度が弱い場合は使用することができない。
また特許文献４の発明は、電磁波の反射波または透過波による出力電圧値の時間的変化である出力波形を計算して枚数を判別するため、特許文献２と同様に枚数に誤差が生じる。
本発明は、かかる課題に鑑み、ＲＦタグに記録されている記録情報を一括して読み書きするリーダライタ及びリーダにおいて、ＲＦタグに記録されている記録情報が読み落しなく正確に読み取られたか否かを判定する手段を備えることにより、一括して読み取ったＲＦタグに記録された記録情報が全て正常に読み取られたか否かを判断することができるリーダライタ及びリーダを提供することを目的とする。
【課題を解決するための手段】
【０００４】
本発明はかかる課題を解決するために、請求項１は、複数の物品にそれぞれ取り付けられたＲＦタグに記録された記録情報を一括して読み書きするリーダライタと、システム全体を制御する制御手段と、を備えたリーダライタシステムにおいて、前記制御手段は前記複数の物品それぞれに取り付けられた各ＲＦタグ間を関連付ける情報を前記各ＲＦタグに記録する関連付け情報記録手段と、前記リーダライタにより一括して読み取られた前記関連付け情報が互いにリンクしているか否かを判定するリンク判定手段と、を備え、前記リンク判定手段により前記関連付け情報がリンクしていると判定された場合、前記リーダライタにより一括して読み取った記録情報には読み落としがないと判断することを特徴とする。
本発明は各ＲＦタグが備えているＩＤ情報以外に、関連付け情報を対応付けて記録しておくための関連付け情報記録手段と、それらの関連付け情報が一括して読み取られた場合に、各関連付け情報がリンクしているか否かを判定するリンク判定手段と、を備え、このリンク判定手段が各関連付け情報はリンクしていると判定すると、リーダライタにより一括して読み取った記録情報には読み落としがないと判断するものである。即ち、関連付け情報が１つでも読み取れない場合はリンクしなくなるので、リンクの可否により読み落しの有無を判断するものである。
請求項２は、前記関連付け情報は、一括して読み取る物品単位で記録され、且つ他の何れかのＲＦタグの関連付け情報とも重複しないことを特徴とする。
本発明の関連付け情報は、一括して読み取る物品単位で個々のＲＦタグに記録される。例えば、一括して読み取る物品の個数が１０個の場合、その１０個の中で関連付けが行われ、且つ他の何れかのＲＦタグの関連付け情報とも重複しないように記録される。
請求項３は、前記リンク判定手段は、前記複数の物品に取り付けられた各ＲＦタグのＩＤ情報と前記関連付け情報記録手段により記録された関連付け情報を前記リーダライタにより一括して読み取ってメモリに記憶し、該メモリに記憶された関連付け情報と各ＲＦタグのＩＤ情報が全部揃っている場合、前記関連付け情報がリンクしていると判定することを特徴とする。
リーダライタのメモリには一括して読み取ったＲＦタグのＩＤ情報と関連付け情報が対応付けて記憶される。そして全てのＲＦタグの記録情報を読み取ると、メモリに記憶された関連付け情報と各ＲＦタグのＩＤ情報が全部揃っているかをリンク判定手段により判定する。もし読み落しがなければ、関連付け情報と各ＲＦタグのＩＤ情報が全部揃うことになる。
【０００５】
請求項４は、複数の物品にそれぞれ取り付けられたＲＦタグに記録された記録情報を一括して読み書きするリーダライタと、システム全体を制御する制御手段と、を備えたリーダライタシステムにおいて、前記制御手段は前記複数の物品に取り付けられた各ＲＦタグにシーケンス番号を記録するシーケンス番号記録手段と、前記複数の物品に取り付けられた各ＲＦタグに記録されたシーケンス番号に欠番が存在するか否かを判定する欠番判定手段と、を備え、前記欠番判定手段により前記シーケンス番号に欠番が存在しないと判定された場合、前記リーダライタにより一括して読み取った記録情報には読み落としがないと判断することを特徴とする。
本発明では一括して読み取る物品の各ＲＦタグに予めシーケンス番号を記録しながら一括読み取りの準備を行う。そしてシーケンス番号を全て記録し終わると、当該複数の物品を一単位として一括読み取りを行う。当然、全ての物品のＲＦタグが正常に読み取れれば、シーケンス番号も欠番無く記録したときの番号と一致するはずである。
【０００６】
請求項５は、複数の物品にそれぞれ取り付けられたＲＦタグに記録された記録情報を一括して読み書きするリーダライタと、システム全体を制御する制御手段と、を備えたリーダライタシステムにおいて、前記制御手段は前記物品の重量を計量する計量手段と、該計量手段により計量された個々の物品の重量情報を当該個々の物品に取り付けられたＲＦタグに記録する重量記録手段と、該重量情報が記録されたＲＦタグを取り付けた複数の物品の記録情報を一括して読み取る際に、該複数の物品の全重量を計量して前記ＲＦタグに記録された個々の重量情報の合計値と比較する重量比較手段と、を備え、前記重量比較手段により前記複数の物品の全重量と前記ＲＦタグに記録された個々の重量情報の合計値とを比較した結果が一致した場合、前記リーダライタにより一括して読み取った記録情報には読み落としがないと判断することを特徴とする。
本発明は一括して読み取る複数の物品の重量を計量し、その計量値を各ＲＦタグに記録しながら一括読み取りの準備を行う。そして計量値を全て記録し終わると、当該複数の物品を一つの単位として一括読み取りを行うと同時に全物品の重量を計量し、各ＲＦタグに記録された計量値の合計と全物品の重量が一致すれば記録情報には読み落としがないと判断するものである。
請求項６は、複数の物品にそれぞれ取り付けられたＲＦタグに記録された記録情報を一括して読み書きするリーダライタと、システム全体を制御する制御手段と、を備えたリーダライタシステムにおいて、前記制御手段は前記複数の物品の合計個数情報を少なくとも１つ以上の代表ＲＦタグに記録する個数記録手段と、前記複数の物品を一括して読み取った際の合計個数と前記代表ＲＦタグに記録されている合計個数情報とを比較する個数比較手段と、を備え、前記個数比較手段により前記複数の物品を一括して読み取った際の合計個数と前記代表ＲＦタグに記録されている合計個数情報とを比較した結果が一致した場合、前記リーダライタにより一括して読み取った記録情報には読み落としがないと判断することを特徴とする。
本発明では一括して読み取る物品の数は予め判明しており、その数を１つの代表ＲＦタグに記録しておく。そして物品の一括読み取りを開始して読み取った物品の数と代表ＲＦタグに記録した数が一致すれば記録情報には読み落としがないと判断するものである。
【０００７】
請求項７は、個数が確定している複数の物品にそれぞれ取り付けられたＲＦタグに記録された記録情報を一括して読み書きするリーダライタと、システム全体を制御する制御手段と、を備えたリーダライタシステムにおいて、前記制御手段は前記個数が確定している複数の物品に付されたＲＦタグを一括して読み取ることにより得た合計個数情報と予め計数した確定個数とを比較する個数比較手段を備え、前記個数比較手段により前記個数が確定している物品に付されたＲＦタグを一括して読み取った際の合計個数と前記確定個数とを比較した結果が一致した場合、前記リーダライタにより一括して読み取った記録情報には読み落としがないと判断することを特徴とする。
本発明は予め物品の個数を確定しておき、その個数単位で一括読み取りを行う。そして物品の一括読み取りを開始して読み取った物品の数と確定個数とが一致すれば記録情報には読み落としがないと判断するものである。
請求項８は、複数の物品にそれぞれ取り付けられたＲＦタグに記録された記録情報を一括して読み取るリーダと、システム全体を制御する制御手段と、を備えたリーダシステムにおいて、前記制御手段は前記複数の物品それぞれに取り付けられた各ＲＦタグ間を関連付ける関連付け情報を予め記録した各ＲＦタグを前記リーダにより一括して読み取った際に、前記関連付け情報が互いにリンクしているか否かを判定するリンク判定手段を備え、前記リンク判定手段により全てのＲＦタグに記録された前記関連付け情報がリンクしていると判定された場合、前記リーダにより一括して読み取った記録情報には読み落としがないと判断することを特徴とする。
本発明は請求項１と同様の作用効果を奏する。
【０００８】
請求項９は、前記関連付け情報は、一括して読み取る物品単位で記録され、且つ他の何れかのＲＦタグの関連付け情報とも重複しないことを特徴とする。
本発明は請求項２と同様の作用効果を奏する。
請求項１０は、前記リンク判定手段は、前記複数の物品に取り付けられた各ＲＦタグのＩＤ情報と前記関連付け情報を前記リーダにより一括して読み取ってメモリに記憶し、該メモリに記憶された関連付け情報と各ＲＦタグのＩＤ情報が全部揃っている場合、前記関連付け情報がリンクしていると判定することを特徴とする。
本発明は請求項３と同様の作用効果を奏する。
請求項１１は、複数の物品にそれぞれ取り付けられたＲＦタグに記録された記録情報を一括して読み取るリーダと、システム全体を制御する制御手段と、を備えたリーダシステムにおいて、前記制御手段は前記複数の物品に取り付けられた各ＲＦタグに記録されたシーケンス番号に欠番が存在するか否かを判定する欠番判定手段を備え、前記欠番判定手段により前記シーケンス番号に欠番が存在しないと判定された場合、前記リーダにより一括して読み取った記録情報には読み落としがないと判断することを特徴とする。
本発明は請求項４と同様の作用効果を奏する。
請求項１２は、複数の物品にそれぞれ取り付けられたＲＦタグに記録された記録情報を一括して読み取るリーダと、システム全体を制御する制御手段と、を備えたリーダシステムにおいて、前記制御手段は前記物品の重量を計量する計量手段と、該計量手段により計量された個々の物品の重量情報が記録されたＲＦタグを取り付けた複数の物品の記録情報を一括して読み取る際に、該複数の物品の全重量を計量して前記ＲＦタグに記録された個々の重量情報の合計値と比較する重量比較手段と、を備え、前記重量比較手段により前記複数の物品の全重量と前記ＲＦタグに記録された個々の重量情報の合計値とを比較した結果が一致した場合、前記リーダにより一括して読み取った記録情報には読み落としがないと判断することを特徴とする。
本発明は請求項５と同様の作用効果を奏する。
【０００９】
請求項１３は、複数の物品にそれぞれ取り付けられたＲＦタグに記録された記録情報を一括して読み取るリーダと、システム全体を制御する制御手段と、を備えたリーダシステムにおいて、前記制御手段は前記複数の物品の合計個数情報を記録した代表ＲＦタグと、前記複数の物品を一括して読み取った際の合計個数と前記代表ＲＦタグに記録されている合計個数情報とを比較する個数比較手段と、を備え、前記個数比較手段により前記複数の物品を一括して読み取った際の合計個数と前記代表ＲＦタグに記録されている合計個数情報とを比較した結果が一致した場合、前記リーダにより一括して読み取った記録情報には読み落としがないと判断することを特徴とする。
本発明は請求項６と同様の作用効果を奏する。
請求項１４は、個数が確定している物品にそれぞれ取り付けられたＲＦタグに記録された記録情報を一括して読み取るリーダと、システム全体を制御する制御手段と、を備えたリーダシステムにおいて、前記制御手段は前記個数が確定している複数の物品に付されたＲＦタグを一括して読み取ることにより得た合計個数情報と予め計数した確定個数とを比較する個数比較手段を備え、前記個数比較手段により前記個数が確定している物品に付されたＲＦタグを一括して読み取った際の合計個数と前記確定個数とを比較した結果が一致した場合、前記リーダにより一括して読み取った記録情報には読み落としがないと判断することを特徴とする。
本発明は請求項７と同様の作用効果を奏する。
【発明の効果】
【００１０】
請求項１、８の発明によれば、関連付け情報を対応付けてＲＦタグに記録し、それらの関連付け情報が一括して読み取られた場合に、各関連付け情報がリンクしているか否かを判定することにより、一括して読み取った記録情報には読み落としがないと判断するので、読み取る順番が狂っても必ずリンクしているか否かを判定することができる。
また請求項２、９では、関連付け情報は、一括して読み取る物品単位で記録され、且つ他の何れのＲＦタグの関連付け情報とも重複せず、且つそれぞれのＲＦタグが備えるＩＤ情報の中の何れか１つであるので、一括して読み取る物品単位では必ずリンクすることができる。
また請求項３、１０では、メモリに記憶された関連付け情報と各ＲＦタグのＩＤ情報が全部揃っている場合、関連付け情報がリンクしていると判定するので、リンク判定が容易となる。
また請求項４、１１では、一括して読み取る物品の各ＲＦタグに予めシーケンス番号を記録し、そしてシーケンス番号を全て記録し終わると、その単位で一括読み取りを行うので、シーケンス番号の欠番の有無により確実に読み落としの有無を検出することができる。
また請求項５、１２では、一括して読み取る物品の重量を計量し、その計量値を各ＲＦタグに記録し、そして計量値を全て記録し終わるとその単位で一括読み取りを行うと同時に全物品の重量を計量し、各ＲＦタグに記録された計量値の合計と全物品の重量が一致すれば記録情報には読み落としがないと判断するので、各物品の重量がわかると共に、一括して読み取る物品の全重量も併せて確認することができる。
また請求項６、１３では、予め判明している一括して読み取る物品の数を１つの代表ＲＦタグに記録し、物品の一括読み取りを開始して読み取った物品の数と代表ＲＦタグに記録した数が一致すれば記録情報には読み落としがないと判断するので、一括して読み取る物品の数が変更した場合、代表ＲＦタグの情報を書きかえるだけで対応することができる。
また請求項７、１４では、予め判明している確定数単位で一括読み取りを行い、読み取った物品の数と確定数が一致すれば記録情報には読み落としがないと判断するので、確定数が一定の物品を一括で読み取る場合には、読み取った物品の数だけを管理すればよい。
【発明を実施するための最良の形態】
【００１１】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は、一般的なＲＦタグ用リーダライタの構成を示すブロック図である。このＲＦタグ用リーダライタ（以下、単にリーダライタと呼ぶ）１００は、リーダライタ１００との間でデータの授受を行ってシステム全体を制御するＰＣ５０によって制御される。リーダライタ１００は、外部のＰＣ５０とのデータの通信プロトコルを司る送受信装置１と、リーダライタ１００全体の動作を制御する制御装置２と、制御装置２を動作させる手順を記録したファームウェアと読み取ったデータを格納するメモリ装置３と、制御装置２からのデータを搬送波に乗せて変調する変調器４と、操作コマンドを入力する入力装置５と、制御装置２により制御された情報を表示する表示装置６と、制御装置２からの交流信号である電力供給用信号と変調器４からの書き込みコマンドを電力増幅する電力増幅器７と、ループアンテナ９から受信した搬送波から２値化データに変換する検波復調器８と、図示しないＲＦタグとの電力用搬送波とデータの授受をするループアンテナ９とを備えて構成されている。
次に、本構成によるリーダライタ１００の動作を説明する前に、ＲＦタグの構成を先に説明しておく。図２は、一般的なＲＦタグの構成を示すブロック図である。本実施形態のＲＦタグ２００は、リーダライタ１００からの電力用搬送波によりデータの授受をするループアンテナ２０と、書き込みコマンド読み出しコマンドを生成する送受信回路２１と、ループアンテナ２０からの電力用搬送波を受け、それを整流して直流電力に変換する電力生成回路２２と、制御用ファームウェアとデータの記憶を司るメモリ装置２３と、制御回路２６からの送信コマンドに搬送波を乗せて変調する変調器２４と、送受信回路２１からの搬送波データから２値化データに変換する検波器２５と、ＲＦタグ２００の全体の動作を制御する制御回路２６から構成されている。
【００１２】
次に、図１と図２を併せて参照してそれぞれ単独の動作について説明する。リーダライタ１００は、図示しない電源が入れられると制御装置２のイニシャル動作後、メモリ装置３に記憶されたプログラムに従い動作を開始する。まず、初期化が行われる。次に、制御装置２は、ＲＦタグ２００に供給する電力供給用信号と、ポーリング信号を交互に電力増幅器７から送信する。その信号は、ループアンテナ９から電磁波として外部に放射される。次に、ＲＦタグ２００がリーダライタ１００に近接すると、ループアンテナ２０が搬送波から電力生成回路２２により整流して直流電力に変換して、ＲＦタグ内の全ての回路に供給する。電力を供給されて制御回路２６が駆動すると、メモリ装置２３に格納されたプログラムに従って、制御を開始する。
次に、制御回路２６は、まず送受信回路２１からコマンドを検波器２５で復調して２値化信号に変換し、そのコマンドを解析する。その結果自分が呼び出されていることを認識すると、レスポンスを変調器２４により変調して送受信回路２１を介してループアンテナ２０から送信する。このレスポンスをリーダライタ１００がループアンテナ９で受信して、検波復調器８で２値化コードに変換し、制御回路２により解析してＲＦタグ２００が規格に合致したタグであると認識する。それにより、以後リーダライタ１００とＲＦタグ２００の間でデータの授受が行われる。
このＲＦタグ２００は、ＰＶＣシート等上にループアンテナ２０と制御ＩＣを一体化したインレット３１と、インレット３１の周縁に沿って形成されたループアンテナ２０と、ループアンテナ２０を介して所定の変調方式に基づく搬送電力の送信とリーダライタ１００との間でのデータの授受を制御する制御ＩＣ２０１とを備えて構成される。
図３は、本発明のＲＦタグの外形透視図であり、以下、この構成全体を指してＲＦタグと呼ぶ。図３（Ａ）は上面図であり、図３（Ｂ）は側面図である。このＲＦタグ２００は、図３（Ａ）の上面図から明らかなように、ＰＶＣシート等上にループアンテナ２０と制御ＩＣ２０１を一体化したインレット３１と、インレット３１の周縁に沿って形成されたループアンテナ２０と、ループアンテナ２０を介して所定の変調方式に基づく搬送電力の送信とリーダライタ１００との間でのデータの授受を制御する制御ＩＣ２０１とを備えて構成される。
尚、以下の実施形態で説明する図１のリーダライタ１００は、ＲＦタグ２００に記録されている情報を読み取るだけのリーダ１００としての機能を併有していても差し支えない。
【００１３】
図４（ａ）は本発明の第１の実施形態に係るリーダライタシステムの構成図である。この実施形態は、複数の封筒（物品）３５にそれぞれ取り付けられたＲＦタグ２００に記録された記録情報を一括して読み書きするリーダライタ（Ｒ／Ｗ）１００と、このリーダライタ１００を制御するＰＣ（制御手段）５０と、を備えて構成される。尚、ＰＣ５０は複数のそれぞれの封筒３５に取り付けられた各ＲＦタグ２００間を関連付ける関連付け情報３０（図５参照）を各ＲＦタグ２００に記録する関連付け情報記録手段５０ａと、リーダライタ１００により一括して読み取られた関連付け情報３０が互いにリンクしているか否かを判定するリンク判定手段５０ｂとを備えている。図４（ｂ）は複数の封筒３５に取り付けられたＲＦタグ２００の記録情報をリーダライタ１００により一括で読み取っている図である。
このように本実施形態のＰＣ５０は各ＲＦタグが備えているＩＤ情報以外に、関連付け情報を対応付けて記録しておくための関連付け情報記録手段５０ａと、それらの関連付け情報が一括して読み取られた場合に、各関連付け情報がリンクしているか否かを判定するリンク判定手段５０ｂと、を備え、このリンク判定手段５０ｂが関連付け情報はリンクしていると判定すると、リーダライタ１００により一括して読み取った記録情報には読み落としがないと判断するものである。即ち、関連付け情報が１つでも読み取れない場合はリンクしなくなるので、リンクの可否により読み落しの有無を判断するものである。
図５は図４の第１の実施形態を説明するための図である。図５（ａ）は封筒に取り付けられたＲＦタグ２００に記録されたタグＩＤ情報３１と関連付け情報３０の関係を説明する図である。図５（ｂ）は図の読み取り順序で読み取った場合のタグＩＤと関連付け情報の関係を説明する図である。図５（ｃ）はＰＣ５０のメモリに記憶された記憶内容を説明する図である。
【００１４】
図４を参照して動作について説明する。各封筒３５に取り付けられたＲＦタグ２００には、図５（ａ）のように例えばタグＩＤ情報がＡ、Ｂ、Ｃ、Ｄ、Ｅ、Ｆの６枚の封筒を一括して読み取る場合、タグＩＤ情報「Ａ」には関連付け情報としてタグＩＤ情報「Ｂ」を記録し、以下同様にして隣接するタグＩＤ情報をそれぞれ関連付け情報として記録し、全体をリンクさせるためにタグＩＤ情報「Ｆ」には最初のタグＩＤ情報「Ａ」が関連付け情報として記録されているとする。この記録動作はＰＣ５０の関連付け情報記録手段５０ａの指示によりリーダライタ１００により予め行われる。尚、関連付けは隣接するＲＦタグ同士とは限らず、一括して読み取るＲＦタグ内であれば順序は問わない。
まず図５（ａ）により読み落しがない場合について説明する。図４（ｂ）のように関連付け情報の記録が終了した複数の封筒３５は容器３６に収納され、リーダライタ１００により一括してＲＦタグの関連付け情報３０とタグＩＤ情報３１が読み取られる。その情報はＰＣ５０のメモリに一旦記憶され、この例では、タグＩＤ情報「Ａ」、「Ｅ」、「Ｆ」、「Ｃ」、「Ｂ」、「Ｄ」の順に読み取られたとする。その結果、図５（ｃ）のようにＰＣ５０のメモリにはタグＩＤ情報３１と関連付け情報３０とが対応付けられて記憶される。この結果からＰＣ５０のリンク判定手段５０ｂは読み取られたタグＩＤ情報３１とそれらの関連付け情報３０が全て揃っていると判定し、ＰＣ５０はこの結果からリーダライタ１００により一括して読み取った各ＲＦタグ２００記録情報には読み落としがないと判断するものである。即ち、図５（ｂ）から明らかなように、読み取り順からタグＩＤ情報「Ａ」から関連付け情報「Ｂ」が読み取られ、タグＩＤ情報「Ｅ」から関連付け情報「Ｆ」が読み取られ、タグＩＤ情報「Ｆ」から関連付け情報「Ａ」が読み取られ、タグＩＤ情報「Ｃ」から関連付け情報「Ｄ」が読み取られ、タグＩＤ情報「Ｂ」から関連付け情報「Ｃ」が読み取られ、タグＩＤ情報「Ｄ」から関連付け情報「Ｅ」が読み取られ、関連付け情報をアルファベット順にたどると矢印（１）〜（６）となり最終的に矢印がリンクしていることが分かる。
ＰＣ５０のメモリには一括して読み取ったＲＦタグのＩＤ情報と関連付け情報が対応付けて記憶される。そして全てのＲＦタグの記録情報を読み取ると、メモリに記憶された関連付け情報と各ＲＦタグのＩＤ情報が全部揃っているかをリンク判定手段５０ｂにより判定する。もし読み落しがなければ、関連付け情報と各ＲＦタグのＩＤ情報が全部揃うことになる。
【００１５】
次に図６により読み落しがある場合について説明する。図４（ｂ）のように関連付け情報の記録が終了した複数の封筒３５は容器３６に収納され、リーダライタ１００により一括してＲＦタグの関連付け情報３０とタグＩＤ情報３１が読み取られる。その情報はＰＣ５０のメモリに一旦記憶され、この例では、タグＩＤ情報「Ａ」、「Ｅ」、「Ｆ」、「Ｃ」、「Ｂ」、「Ｄ」の順に読み取られたとする。その結果、例えば２番目に読み取ったタグＩＤ情報「Ｅ」を読み落としたとすると、図６（ｃ）のようにＰＣ５０のメモリにはタグＩＤ情報３１と関連付け情報３０とが対応付けられて記憶されるが、タグＩＤ情報「Ｅ」とその関連付け情報「Ｆ」は記憶されない。この結果からＰＣ５０のリンク判定手段５０ｂは読み取られたタグＩＤ情報３１とそれらの関連付け情報３０が全て揃っていないと判定し、ＰＣ５０はこの結果からリーダライタ１００により一括して読み取った各ＲＦタグ２００記録情報には読み落としがあると判断するものである。即ち、図６（ｂ）から明らかなように、読み取り順からタグＩＤ情報「Ａ」から関連付け情報「Ｂ」が読み取られ、タグＩＤ情報「Ｅ」から関連付け情報「Ｆ」が読み取られず、タグＩＤ情報「Ｆ」から関連付け情報「Ａ」が読み取られ、タグＩＤ情報「Ｃ」から関連付け情報「Ｄ」が読み取られ、タグＩＤ情報「Ｂ」から関連付け情報「Ｃ」が読み取られ、タグＩＤ情報「Ｄ」から関連付け情報「Ｅ」が読み取られ、関連付け情報をアルファベット順にたどると矢印（１）〜（４）となり最終的に点線の矢印の部分でリンクが切断していることが分かる。
【００１６】
図７は本発明の第１の実施形態の動作を説明するフローチャートである。まず関連付け情報記録手段５０ａにより一括読み取りする封筒に取り付けられた各ＲＦタグに１つずつ関連付け情報を記録していく（Ｓ１）。次にタグＩＤ情報と関連付け情報をリーダライタ１００により一括して読み取りＰＣ５０のメモリに記憶する（Ｓ２）。そしてリンク判定手段５０ｂによりメモリに記録したタグＩＤ情報と関連付け情報の全てが揃っているか否かを判定する（Ｓ３）。揃っていれば（Ｓ３でＹＥＳのルート）、リンクしたと判断して（Ｓ４）、ＰＣ５０はリーダライタ１００により一括して読み取った各ＲＦタグ２００記録情報には読み落としがないと判断する（Ｓ５）。ステップＳ３で揃っていなければ（Ｓ３でＮＯのルート）、リンクしないと判断して（Ｓ６）、ＰＣ５０はリーダライタ１００により一括して読み取った各ＲＦタグ２００記録情報には読み落としがあると判断し（Ｓ７）、ステップＳ２に戻って一括読み取りを再開する。尚、このとき所定の回数一括読み取りをしても読み落しがある場合は、エラー表示して停止するようにしても良い。
図８（ａ）は本発明の第２の実施形態に係るリーダライタシステムの構成図である。同じ構成要素には同じ参照番号を付して説明する。この実施形態は、複数の封筒（物品）３５にそれぞれ取り付けられたＲＦタグ２００に記録された記録情報を一括して読み書きするリーダライタ１００と、このリーダライタ１００を制御するＰＣ（制御手段）５０と、を備えて構成される。尚、ＰＣ５０は、複数の物品に取り付けられた各ＲＦタグにシーケンス番号を記録するシーケンス番号記録手段５０ｃと、複数の封筒３５に取り付けられた各ＲＦタグ２００に記録されたシーケンス番号に欠番が存在するか否かを判定する欠番判定手段５０ｄを備えている。図８（ｂ）は複数の封筒３５に取り付けられたＲＦタグ２００の記録情報をリーダライタ１００により一括で読み取っている図である。図８（ｃ）はＰＣ５０のメモリに記憶された記憶内容を説明する図である。
このように本実施形態は一括して読み取る物品の各ＲＦタグに予めシーケンス番号を記録しながら一括読み取りの準備を行う。そしてシーケンス番号を全て記録し終わると、その単位で一括読み取りを行う。当然、全ての封筒のＲＦタグが正常に読み取れれば、シーケンス番号も欠番無く記録したときの番号と一致するはずである。
【００１７】
図９は本発明の第２の実施形態の動作を説明するフローチャートである。図８を参照して説明する。まずシーケンス番号記録手段５０ｃにより、一括読み取りする封筒に取り付けられた各ＲＦタグに１つずつシーケンス番号を記録していく（Ｓ１１）。ステップＳ１２で全てのＲＦタグにシーケンス番号を記録したかを判断し（Ｓ１２）、記録が終了すると（Ｓ１２でＹＥＳのルート）、タグＩＤ情報とシーケンス番号をリーダライタ１００により一括して読み取りＰＣ５０のメモリに記憶する（Ｓ１３）。次に欠番判定手段５０ｄによりメモリに記録したシーケンス番号に欠番があるか否かを判定する（Ｓ１４）。欠番がなければ（Ｓ１４でＹＥＳのルート）、ＰＣ５０はリーダライタ１００により一括して読み取った各ＲＦタグ２００記録情報には読み落としがないと判断する（Ｓ１５）。ステップＳ１４で欠番があれば（Ｓ１４でＮＯのルート）、ＰＣ５０はリーダライタ１００により一括して読み取った各ＲＦタグ２００記録情報には読み落としがあると判断し（Ｓ１６）ステップＳ１３に戻って一括読み取りを再開する。尚、このとき所定の回数一括読み取りをしても読み落しがある場合は、エラー表示して停止するようにしても良い。
図１０（ａ）は本発明の第３の実施形態に係るリーダライタシステムの構成図である。同じ構成要素には同じ参照番号を付して説明する。本実施形態は、複数の封筒（物品）３５にそれぞれ取り付けられたＲＦタグ２００に記録された記録情報を一括して読み書きするリーダライタ１００と、封筒３５の重量を計量する計量手段１１０と、リーダライタ１００及び計量手段１１０を制御するＰＣ５０とを備えて構成される。尚、リーダライタ１００は計量手段１１０を一体で備えても良い。尚、ＰＣ５０は、計量手段１１０により計量された個々の封筒３５の重量を封筒３５に取り付けられたＲＦタグ２００に記録する重量記録手段５０ｅと、重量が記録されたＲＦタグを取り付けた複数の封筒３５の記録情報を一括して読み取る際に、複数の封筒３５の全重量を計量して記録情報に記録された個々の封筒３５の重量合計値と比較する重量比較手段５０ｆとを備えている。図１０（ｂ）は複数の封筒３５に取り付けられたＲＦタグ２００の記録情報をリーダライタ１００により一括で読み取ると共に、計量手段１１０により複数の封筒３５の全重量を計測している図である。図１０（ｃ）はＰＣ５０のメモリに記憶された記憶内容を説明する図である。
このように本実施形態は一括して読み取る物品の重量を計量し、その計量値を各ＲＦタグに記録しながら一括読み取りの準備を行う。そして計量値を全て記録し終わると、その単位で一括読み取りを行うと同時に全封筒の重量を計量し、各ＲＦタグに記録された計量値の合計と全封筒の重量が一致すれば記録情報には読み落としがないと判断するものである。
【００１８】
図１１は本発明の第３の実施形態の動作を説明するフローチャートである。図１０を参照して説明する。まず重量記録手段５０ｅにより一括読み取りする封筒に取り付けられた各ＲＦタグに、その封筒の重量を計量手段１１０で計量して記録し、ＰＣ５０のメモリにも記録していく（Ｓ２１）。全ての封筒の計量が終了すると、その封筒を容器３６に収納して、各封筒に取り付けたＲＦタグの重量データを一括してリーダライタで読み取ると共に、封筒の全重量を計量手段１１０により計量する（Ｓ２２）。これらのデータはＰＣ５０のメモリに記憶しておく。次にメモリに記憶したＲＦタグの重量データを合計し（Ｓ２３）、この重量データとメモリに記憶された全重量を重量比較手段５０ｆにより比較して（Ｓ２４）、等しければ（Ｓ２４でＹＥＳのルート）ＰＣ５０はリーダライタ１００により一括して読み取った各ＲＦタグ２００記録情報には読み落としがないと判断する（Ｓ２５）。ここで図１０（ｃ）のように一括して読み取ったＲＦタグの中で、ＲＦタグ「Ｃ」が読み落とされた場合、合計した重量データは「５５０ｇ」となり、計量手段１１０で計量した全重量「６５０ｇ」と一致しなくなる（Ｓ２４でＮＯのルート）。これによりＰＣ５０はリーダライタ１００により一括して読み取った各ＲＦタグ２００記録情報には読み落としがあると判断し（Ｓ２６）、ステップＳ２２に戻って一括読み取りと計量を再開する。尚、このとき所定の回数一括読み取りをしても読み落しがある場合は、エラー表示して停止するようにしても良い。
【００１９】
図１２（ａ）は本発明の第４の実施形態に係るリーダライタシステムの構成図である。同じ構成要素には同じ参照番号を付して説明する。本実施形態は、複数の封筒（物品）３５にそれぞれ取り付けられたＲＦタグ２００に記録された記録情報を一括して読み書きするリーダライタ１００と、リーダライタ１００を制御するＰＣ５０とを備えて構成される。尚、ＰＣ５０は、複数の封筒３５の合計個数を少なくとも１つ以上の代表ＲＦタグ２１０に記録する個数記録手段５０ｇと、複数の封筒３５を一括して読み取った際の合計個数と代表ＲＦタグ５０ｇに記録されている合計個数とを比較する個数比較手段５０ｈとを備えている。図１２（ｂ）は複数の封筒３５に取り付けられたＲＦタグ２００と代表ＲＦタグ２１０の記録情報をリーダライタ１００により一括で読み取る図である。図１２（ｃ）はＰＣ５０のカウントした合計個数と代表ＲＦタグ２１０の個数を比較する動作を説明する図である。
このように本実施形態は一括して読み取る封筒の数は予め判明しており、その数を１つの代表ＲＦタグ２１０に記録しておく。そして封筒の一括読み取りを開始して読み取った封筒の数と代表ＲＦタグ２１０に記録した数が一致すれば記録情報には読み落としがないと判断するものである。
【００２０】
図１３は本発明の第４の実施形態の動作を説明するフローチャートである。図１２を参照して説明する。まず一括で読み取る封筒の個数をカウントする（Ｓ３１）。次に個数記録手段５０ｇによりカウントした合計個数を代表ＲＦタグ２１０に記録する（Ｓ３２）。次に代表ＲＦタグ２１０を含めた全ての封筒を容器３６に収納して、各封筒に取り付けたＲＦタグの記録情報を一括してリーダライタで読み取ると共に、代表ＲＦタグ２１０の個数データを読み取る（Ｓ３３）。これらのデータはＰＣ５０のメモリに記憶しておく。次にメモリに記憶したＲＦタグの記録情報の個数を合計し、この合計個数とメモリに記憶された代表ＲＦタグ２１０合計個数を個数比較手段５０ｈにより比較して（Ｓ３４）、等しければ（Ｓ３４でＹＥＳのルート）ＰＣ５０はリーダライタ１００により一括して読み取った各ＲＦタグ２００記録情報には読み落としがないと判断する（Ｓ３５）。ここで図１２（ｃ）のように一括して読み取ったＲＦタグの中で、ＲＦタグ「Ｃ」が読み落とされた場合、合計した個数は「２５」となり、代表ＲＦタグ２１０に記録されている合計個数「２６」と一致しなくなる（Ｓ３４でＮＯのルート）。これによりＰＣ５０はリーダライタ１００により一括して読み取った各ＲＦタグ２００記録情報には読み落としがあると判断し（Ｓ３６）ステップＳ３３に戻って一括読み取りを再開する。尚、このとき所定の回数一括読み取りをしても読み落しがある場合は、エラー表示して停止するようにしても良い。
図１４（ａ）は本発明の第５の実施形態に係るリーダライタシステムの構成図である。同じ構成要素には同じ参照番号を付して説明する。本実施形態は、複数の封筒（物品）３５にそれぞれ取り付けられたＲＦタグ２００に記録された記録情報を一括して読み書きするリーダライタ１００と、リーダライタ１００を制御するＰＣ５０とを備えて構成される。尚、ＰＣ５０は、個数が確定している物品を一括して読み取った際の合計個数と予め設定した確定個数とを比較する個数比較手段５０ｉを備えている。図１４（ｂ）は複数の封筒３５に取り付けられたＲＦタグ２００の記録情報をリーダライタ１００により一括で読み取る図である。図１４（ｃ）はＰＣ５０のカウントした合計個数と確定個数を比較する動作を説明する図である。
このように本実施形態は予め物品個数を確定しておき、その単位で一括読み取りを行う。そして封筒の一括読み取りを開始して読み取った封筒の数と確定個数とが一致すれば記録情報には読み落としがないと判断するものである。
【００２１】
図１５は本発明の第５の実施形態の動作を説明するフローチャートである。図１４を参照して説明する。まず一括で読み取る封筒の個数を決定して、ＰＣ５０の図示しない操作部から入力する（Ｓ４１）。次に全ての封筒３５を容器３６に収納して、各封筒に取り付けたＲＦタグの記録情報を一括してリーダライタ１００で読み取る（Ｓ４２）。これらのデータはＰＣ５０のメモリに記憶しておく。次にメモリに記憶したＲＦタグの記録情報の個数を合計し、この合計個数とメモリに記憶された確定個数を個数比較手段５０ｉにより比較して（Ｓ４３）、等しければ（Ｓ４３でＹＥＳのルート）ＰＣ５０はリーダライタ１００により一括して読み取った各ＲＦタグ２００記録情報には読み落としがないと判断する（Ｓ４４）。ここで図１４（ｃ）のように一括して読み取ったＲＦタグの中で、ＲＦタグ「Ｃ」が読み落とされた場合、合計した個数は「２５」となり、確定個数「２６」と一致しなくなる（Ｓ４３でＮＯのルート）。これによりＰＣ５０はリーダライタ１００により一括して読み取った各ＲＦタグ２００記録情報には読み落としがあると判断し（Ｓ４５）、ステップＳ４２に戻って一括読み取りを再開する。尚、このとき所定の回数一括読み取りをしても読み落しがある場合は、エラー表示して停止するようにしても良い。
【００２２】
以上、封筒の枚数を判定する場合について説明したが、封筒に限らずＲＦタグが取り付けられる物品であればどのようなものでも構わない。また、各実施形態ではリーダライタ１００を使用する場合について説明したが、ＲＦタグに情報を新たに記録する必要がなければ、リーダライタ１００は読み取り専用のリーダであっても構わない。即ち、図４の場合はＲＦタグに予め関連付け情報３０を記録しておくようにすれば良い。また図８の場合はＲＦタグに予めシーケンス番号を記録しておくようにすれば良い。また図１０の場合はＲＦタグに予め重量データを記録しておくようにすれば良い。また図１２の場合は代表ＲＦタグ２１０に予め個数データを記録しておくようにすれば良い。また、以上の実施形態では、リーダライタ１００を制御する制御手段としてＰＣ５０を備えて行っているが、リーダライタ１００に全ての機能を備えるようにしても良い。
【図面の簡単な説明】
【００２３】
【図１】一般的なＲＦタグ用リーダライタの構成を示すブロック図。
【図２】一般的なＲＦタグの構成を示すブロック図。
【図３】（Ａ）（Ｂ）は一般的なＲＦタグの外形透視図。
【図４】（ａ）は本発明の第１の実施形態に係るリーダライタシステムの構成図、（ｂ）は複数の封筒３５に取り付けられたＲＦタグ２００の記録情報をリーダライタ１００により一括で読み取っている図。
【図５】（ａ）は封筒に取り付けられたＲＦタグ２００に記録されたタグＩＤ情報３１と関連付け情報３０の関係を説明する図、（ｂ）は図の読み取り順序で読み取った場合のタグＩＤ情報と関連付け情報の関係を説明する図、（ｃ）はＰＣ５０のメモリに記憶された記憶内容を説明する図。
【図６】（ａ）は封筒に取り付けられたＲＦタグ２００に記録されたタグＩＤ情報３１と関連付け情報３０の関係を説明する図、（ｂ）は図の読み取り順序で読み取った場合のタグＩＤ情報と関連付け情報の関係を説明する図、（ｃ）はＰＣ５０のメモリに記憶された記憶内容を説明する図。
【図７】本発明の第１の実施形態の動作を説明するフローチャート。
【図８】（ａ）は本発明の第２の実施形態に係るリーダライタシステムの構成図、（ｂ）は複数の封筒３５に取り付けられたＲＦタグ２００の記録情報をリーダライタ１００により一括で読み取っている図、（ｃ）はＰＣ５０のメモリに記憶された記憶内容を説明する図。
【図９】本発明の第２の実施形態の動作を説明するフローチャート。
【図１０】（ａ）は本発明の第３の実施形態に係るリーダライタシステムの構成図、（ｂ）は複数の封筒３５に取り付けられたＲＦタグ２００の記録情報をリーダライタ１００により一括で読み取ると共に、計量手段１１０により複数の封筒３５の全重量を計測している図、（ｃ）はＰＣ５０のメモリに記憶された記憶内容を説明する図。
【図１１】本発明の第３の実施形態の動作を説明するフローチャート。
【図１２】（ａ）は本発明の第４の実施形態に係るリーダライタシステムの構成図、（ｂ）は複数の封筒３５に取り付けられたＲＦタグ２００と代表ＲＦタグ２１０の記録情報をリーダライタ１００により一括で読み取る図、（ｃ）はＰＣ５０のカウントした合計個数と代表ＲＦタグ２１０の個数を比較する動作を説明する図。
【図１３】本発明の第４の実施形態の動作を説明するフローチャート。
【図１４】（ａ）は本発明の第５の実施形態に係るリーダライタシステムの構成図、（ｂ）は複数の封筒３５に取り付けられたＲＦタグ２００の記録情報をリーダライタ１００により一括で読み取る図、（ｃ）はＰＣ５０のカウントした合計個数と確定個数を比較する動作を説明する図。
【図１５】本発明の第５の実施形態の動作を説明するフローチャート。
【符号の説明】
【００２４】
３０  関連付け情報、３５  封筒、３６  容器、５０  ＰＣ（制御装置）、５０ａ  関連付け情報記録手段、５０ｂ  リンク判定手段、１００  リーダライタ（Ｒ／Ｗ）、２００  ＲＦタグ
【図１】
2006185391.tif 000003
【図２】
2006185391.tif 000004
【図３】
2006185391.tif 000005
【図４】
2006185391.tif 000006
【図５】
2006185391.tif 000007
【図６】
2006185391.tif 000008
【図７】
2006185391.tif 000009
【図８】
2006185391.tif 000010
【図９】
2006185391.tif 000011
【図１０】
2006185391.tif 000012
【図１１】
2006185391.tif 000013
【図１２】
2006185391.tif 000014
【図１３】
2006185391.tif 000015
【図１４】
2006185391.tif 000016
【図１５】
2006185391.tif 000017